(57)【要約】【課題】  ミキシング装置に備えるクロスフェーダ部を普段使用しているクロスフェーダ部に交換せずとも、予め指の感覚で覚えているクロスフェーダ部の操作と同様の感覚で操作できるミキシング装置を提供する。【解決手段】  第１及び第２のオーディオ信号を入力する入力部と、第１及び第２のオーディオ信号の合成の比率を調整して出力するクロスフェーダ部を備え、クロスフェーダ部は、水平方向に配設されたシャフトと、上方に開口する孔を備えシャフトの両端を保持するケース部と、孔から上方に突出する凸部を備えシャフトの軸方向にスライドすることにより第１及び第２のオーディオ信号の合成の比率を変化させるスライド部と、凸部に挿入するノブとを備え、スライド部は、ノブの下方となる位置に配設された雌ネジ部と、当該雌ネジ部と前記シャフトの間に配設された弾性体と、雌ネジ部にねじ込まれることにより弾性体をシャフトに押圧する雄ネジとを備える。【選択図】  図３
2008187567.tif 000002
【特許請求の範囲】
【請求項１】
第１のオーディオ信号及び第２のオーディオ信号を入力する入力部と、
前記入力部に入力された第１のオーディオ信号及び第２のオーディオ信号の合成の比率を調整して出力するクロスフェーダ部と、
前記クロスフェーダ部からオーディオ信号を出力する出力部を備えるミキシング装置において、
前記クロスフェーダ部は、水平方向に配設されたシャフトと、
上方に開口する孔を備え前記シャフトの両端を保持するケース部と、
前記孔から上方に突出する凸部を備え前記シャフトの軸方向にスライドすることにより前記入力部に入力された第１のオーディオ信号及び第２のオーディオ信号の合成の比率を変化させるスライド部と、
前記凸部に挿入するノブとを備え、
前記スライド部は、前記ノブの下方となる位置に配設された雌ネジ部と、当該雌ネジ部と前記シャフトの間に配設された弾性体と、当該雌ネジ部にねじ込まれることにより前記弾性体を前記シャフトに押圧する雄ネジとを備えることを特徴とするミキシング装置。
【発明の詳細な説明】
【技術分野】
【０００１】
本発明は、入力されたオーディオ信号に音響効果処理を施してオーディオ信号を出力するミキシング装置に関する。
【背景技術】
【０００２】
従来のミキシング装置は、オーディオ信号を入力する複数の入力端子を備えている。また、従来のミキシング装置は、複数の入力端子に入力される複数のオーディオ信号のうち２つのオーディオ信号の合成の比率を調節するクロスフェーダを備えている（例えば、特許文献１参照）。
【０００３】
図６は、従来のミキシング装置の一例の構成を示す斜視図である。
従来のミキシング装置１００は、パネル３、ノブ５、第１の入力端子６、第２の入力端子７、出力端子２５、筐体２００及びクロスフェーダ部４００を備える。
【０００４】
パネル３は、上方が開口した箱型である筐体２００の上部に固定される、パネル３は、長方形状の孔３０１を備えると共に孔３０１の両端部分にそれぞれ孔３０２及び孔３０３を備える。クロスフェーダ部４００は、箱型であるケース部４１の上面に細長い角孔である孔４０１を備え、孔４０１から凸部１０１が上方に突出している。クロスフェーダ部４００は、孔４０１の両端部分にそれぞれ雌ネジ部４０６及び雌ネジ部４０７を備える。
【０００５】
クロスフェーダ部４００は、雄ネジ３１がパネル３の孔３０２及び孔３０３を介して雌ネジ部４０６及び雌ネジ部４０７に締め付けられることにより、パネル３に固定される。このとき、凸部１０１は、孔３０１から上方に突出する。ノブ５は、下面に孔５０１を備える。クロスフェーダ部４００は、パネル３に固定された後、凸部１０１の上部にノブ５の孔５０１が挿入されることにより、ノブ５を固定する。
【０００６】
図７は、従来のミキシング装置１００を示すブロック図である。
クロスフェーダ部４００は、合成部４５を備える。第１の入力端子６及び第２の入力端子７は、それぞれアナログレコードプレーヤやＣＤ（Compact Disc）プレーヤ等の他のオーディオ装置から出力されたオーディオ信号を合成部４５に入力する。合成部４５は、第１の入力端子６及び第２の入力端子７から入力されたオーディオ信号を合成して出力端子２５に出力する。合成部４５は、クロスフェーダ部４００の後述するスライド部の凸部１０１の位置に応じて第１の入力端子６及び第２の入力端子７から出力されたオーディオ信号の合成比率を調整し合成して出力端子２５に出力する。
【０００７】
図８は、従来のミキシング装置１００のクロスフェーダ部４００の構成を示す断面図で、図８（ａ）はノブ５が孔３０１の中央の位置にある状態を示す断面図、図８（ｂ）は図８（ａ）の状態からノブ５を左方向及び右方向にスライドさせた状態を示す断面図である。
クロスフェーダ部４００は、スライド部１０及びシャフト８０を備える。
【０００８】
シャフト８０は、両端がケース部４１の左右の側壁にそれぞれ固定されている。スライド部１０は、上方部分に前述した凸部１０１を備え、水平方向に開口した図示しない孔を備える。スライド部１０は、この水平方向に開口した孔にシャフト８０が挿入されることにより、シャフト８０を軸方向に自在にスライドする。このように、スライド部１０がシャフト８０を軸方向に自在にスライドすることによって、凸部１０１に固定されたノブ５は、凸部１０１が孔３０１の左端に当接する位置から孔３０１の右端に当接する位置までの間を自在にスライドする。
【０００９】
合成部４５は、クロスフェーダ部４００の凸部１０１が孔３０１に対して中央の位置にある場合、第１の入力端子６及び第２の入力端子７に入力されるオーディオ信号を略同じ比率で合成し、合成したオーディオ信号を出力端子２５に出力する。合成部４５は、クロスフェーダ部４００の凸部１０１が孔３０１に対して中央の位置にある状態から左方向にスライドすることによって第１の入力端子６に入力されたオーディオ信号の比率を第２の入力端子７に入力されたオーディオ信号の比率よりも増加させて合成する。また、合成部４５は、凸部１０１が孔３０１に対して中央の位置にある状態から右方向にスライドすることによって第２の入力端子７に入力されたオーディオ信号の比率を第１の入力端子６に入力されたオーディオ信号の比率よりも増加させて合成する。そして、合成部４５は、クロスフェーダ部４００の凸部１０１が孔３０１の左端に当接した位置にある場合は、第１の入力端子６に入力されるオーディオ信号のみを出力端子２５に出力し、また、凸部１０１が孔３０１の右端に当接した位置にある場合は、第２の入力端子７に入力されるオーディオ信号のみを出力端子２５に出力する。
【００１０】
出力端子２５は、オーディオ信号増幅装置（図示しない）に接続され、合成部４５から出力されたオーディオ信号をオーディオ信号増幅装置に出力する。オーディオ信号増幅装置は、出力端子２５から出力されたオーディオ信号を増幅し、スピーカ（図示しない）に出力する。スピーカは、オーディオ信号増幅装置によって増幅されたオーディオ信号を出力する。
【００１１】
ミキシング装置１００の第１の入力端子６及び第２の入力端子７には、CDプレーヤ、アナログレコードプレーヤ等のオーディオ再生装置が接続される。このような従来のミキシング装置１００、アナログレコードプレーヤ等を用いて様々な効果音を生成するディスクジョッキー（Disc Jockey（以下、DJという。））は、ミキシング装置１００に接続されたCDプレーヤやアナログレコードプレーヤから入力されるオーディオ信号を聴取しながら、クロスフェーダ部４００を操作する。また、ＤＪは、ミキシング装置１００の操作と同時に、アナログレコードプレーヤを用いて、アナログレコードを素早く時計回り方向又は反時計回り方向に回すことにより擦れ音のようなスクラッチ再生音を発生させる操作も行う。
【００１２】
このように、ＤＪは、ミキシング装置のクロスフェーダを用いて、例えば、第１の入力端子６から入力されるＣＤからのオーディオ信号の拍に合わせて、第２の入力端子７から入力されるアナログレコードプレーヤからのスクラッチ再生音を合成させた効果音を生成する操作をすることによって、様々な効果音を生成することができる。
【００１３】
【特許文献１】特開平９−２８４８３号公報
【発明の開示】
【発明が解決しようとする課題】
【００１４】
ＤＪがミキシング装置やアナログレコードプレーヤ等を用いて様々な効果音を生成する場合は、音楽の進行状況に応じて第１の入力端子及び第２の入力端子からそれぞれ入力される音の合成比率を的確な合成比率とした効果音を出力させるために、ＤＪはクロスフェーダ部のノブのスライド位置を音楽の進行状況に応じて意図した的確な位置に素早くスライドさせる必要がある。しかしながら、ミキシング装置の操作と同時に、アナログレコードプレーヤに載置したアナログレコードを素早く回転させて擦れ音のようなスクラッチ再生音を発生させる操作も行うため、ミキシング装置を目視しないでクロスフェーダ部の操作を行わなければならないことが多い。
【００１５】
このため、ＤＪは、ミキシング装置を目視しないでノブのスライド位置を意図した的確な位置に素早く合わせるために、ノブを指でスライドさせる際にノブが意図した距離だけスライドするのに必要となるノブに加える指先の力を予め指の感覚で覚えておき、ミキシング装置のノブを素早く操作する場合、この予め覚えておいた指の感覚でノブに力を加えて当該ノブを意図した距離だけスライドさせることにより、クロスフェーダ部のノブを意図した的確な位置に合わせる必要がある。
【００１６】
一方、ＤＪがミキシング装置やアナログレコードプレーヤ等を用いて様々な効果音を生成するのは、通常、ダンスホールなどの場所であることが多く、このようなダンスホールでは、予めミキシング装置やアナログレコードプレーヤが備え付けられていることが多い。このため、ＤＪは、普段使用しているミキシング装置と異なる備え付けのミキシング装置を操作する場合がある。
【００１７】
このため、ＤＪが普段使用しているミキシング装置におけるクロスフェーダ部のノブを意図した距離だけスライドさせるのに必要な指先の力と、ダンスホールに備え付けられているミキシング装置におけるクロスフェーダ部のノブを意図した距離だけスライドさせるのに必要な指先の力とが異なる場合、目視せずに指先の感覚でノブのスライド位置を意図した的確な位置に合わせようとしても、ノブを意図した距離だけスライドさせるのに必要な指先の力が予め普段使用しているミキシング装置の操作によって指の感覚で覚えておいた指先の力と異なるため、クロスフェーダ部のノブの位置を意図した的確な位置に合わせることができなくなる。
【００１８】
このため、ＤＪは、ノブが意図した的確な距離だけスライドするのに必要な指先の力を予め指の感覚で覚えているクロスフェーダ部を各々持参し、複数の異なるＤＪが備え付けのミキシング装置を操作する場合は、その都度、図６に示すミキシング装置１００のクロスフェーダ部４００を各々のＤＪが自ら持参した専用のクロスフェーダ部に交換する必要があり、この交換作業に多大な時間及び費用を要していた。
【００１９】
本発明は、第１のオーディオ信号及び第２のオーディオ信号の合成の比率を変化させて出力するクロスフェーダ部を備えるミキシング装置において、ミキシング装置に備えるクロスフェーダ部を普段使用しているクロスフェーダ部に交換せずとも、予め指の感覚で覚えているクロスフェーダ部の操作と同様の感覚で操作できるミキシング装置を提供することを目的とする。
【課題を解決するための手段】
【００２０】
本願の第一の態様における発明は、第１のオーディオ信号及び第２のオーディオ信号を入力する入力部と、前記入力部に入力された第１のオーディオ信号及び第２のオーディオ信号の合成の比率を調整して出力するクロスフェーダ部と、前記クロスフェーダ部からオーディオ信号を出力する出力部を備えるミキシング装置において、前記クロスフェーダ部は、水平方向に配設されたシャフトと、上方に開口する孔を備え前記シャフトの両端を保持するケース部と、前記孔から上方に突出する凸部を備え前記シャフトの軸方向にスライドすることにより前記入力部に入力された第１のオーディオ信号及び第２のオーディオ信号の合成の比率を変化させるスライド部と、前記凸部に挿入するノブとを備え、前記スライド部は、前記ノブの下方となる位置に配設された雌ネジ部と、当該雌ネジ部と前記シャフトの間に配設された弾性体と、当該雌ネジ部にねじ込まれることにより前記弾性体を前記シャフトに押圧する雄ネジとを備えることを特徴とする。
【発明の効果】
【００２１】
本発明によれば、第１のオーディオ信号及び第２のオーディオ信号の合成の比率を変化させて出力するクロスフェーダ部を備えるミキシング装置において、ミキシング装置に備えるクロスフェーダ部を普段使用しているクロスフェーダ部に交換せずとも、予め指の感覚で覚えているクロスフェーダ部の操作と同様の感覚で操作できるミキシング装置を提供することができる。
【発明を実施するための最良の形態】
【００２２】
以下、本発明の実施の形態を図面に基づいて説明する。
図１は、本発明の一実施例であるミキシング装置の構成を示す斜視図である。
ミキシング装置１は、筐体２、パネル３、クロスフェーダ部４、ノブ５、第１の入力端子６、第２の入力端子７及び出力端子２５を備える。
【００２３】
筐体２は、上方が開口した箱型である。パネル３は、筐体２の上部に図示しない固定ネジにより固定される。パネル３は、長方形状の孔３０１を備えると共に孔３０１の両端部分にそれぞれ孔３０２及び孔３０３を備える。クロスフェーダ部４は、箱型であるケース部４１の上面に細長い角孔である孔４０１を備え、孔４０１から凸部１０１が上方に突出している。クロスフェーダ部４は、孔４０１の両端部分にそれぞれ雌ネジ部４０６及び雌ネジ部４０７を備える。
【００２４】
クロスフェーダ部４は、雄ネジ３１がパネル３の孔３０２及び孔３０３を介して雌ネジ部４０６及び雌ネジ部４０７に締め付けられることにより、パネル３に固定される。このとき、凸部１０１は、孔３０１から上方に突出する。ノブ５は、下面に孔５０１を備える。クロスフェーダ部４は、パネル３に固定された後、凸部１０１の上部にノブ５の孔５０１が挿入されることにより、ノブ５を固定する。
【００２５】
図２は、本実施例のミキシング装置１を示すブロック図である。
クロスフェーダ部４は、合成部４５を備える。第１の入力端子６及び第２の入力端子７は、それぞれアナログレコードプレーヤやＣＤプレーヤ等の他のオーディオ装置から出力されたオーディオ信号を合成部４５に入力する。合成部４５は、第１の入力端子６及び第２の入力端子７から入力されたオーディオ信号を合成して出力端子２５に出力する。合成部４５は、クロスフェーダ部４の後述するスライド部の位置に応じて第１の入力端子６及び第２の入力端子７から出力されたオーディオ信号の合成比率を調整し合成して出力端子２５に出力する。
【００２６】
図３は、本実施例のミキシング装置１のクロスフェーダ部４の構成を示す断面図で、図３（ｂ）は図３（ａ）のＡ−Ａ断面図である。
図３（ｂ）においては、左方向をクロスフェーダ部４の前方とし、右方向をクロスフェーダ部４の後方とする。
クロスフェーダ部４は、ケース部４０の内部に第１のシャフト８、第２のシャフト９及びスライド部１０を備える。
【００２７】
ケース部４０は、図３（ａ）及び図３（ｂ）に示すように、左右の側面にそれぞれ孔４０２及び孔４０３を備える。
【００２８】
第１のシャフト８は、両端部分が孔４０２及び孔４０３に軸支される。また、第１のシャフト８は、孔４０２及び孔４０３よりも外側となる両端にそれぞれＥリング１１及びＥリング１２が固定され、孔４０２及び孔４０３から第１のシャフト８が抜け落ちないよう保持されている。第２のシャフト９は、第１のシャフト８に対して平行となるように配設され、両端がケース部４０の左右の側壁にそれぞれ固定されている。
【００２９】
スライド部１０は、上方の前方部分に上方に突出する凸部１０４を備え、この凸部１０４から後方に略直角に曲げられ水平面を有する曲げ部１０５を備える。この曲げ部１０５は上方に略直角に折り曲げられることにより前述した凸部１０１を形成している。
【００３０】
スライド部１０は、上方に開口した湾曲を形成する軸受け１０２を備えると共に、水平方向に開口する孔１０３を備える。スライド部１０は、孔１０３に第２のシャフト９が挿入されると共に、軸受け１０２に第１のシャフト８が軸受けされることにより、第１のシャフト８及び第２のシャフト９を軸方向に自在にスライドする。
【００３１】
曲げ部１０５は、凸部１０１の前方の位置となる略中央の位置に雌ネジ部１０６を備える。雌ネジ部１０６には、雄ネジ１６がねじ込まれた状態となっている。凸部１０４の後面には、ゴム部材から成る弾性体１５が接着剤、両面テープ等により固着されている。この弾性体１５は、雌ネジ部１０６の下方となる位置であって、第１のシャフト８の上方となる位置に配設される。
【００３２】
図４は、クロスフェーダ部４をパネル３に固定した後に、ノブ５を凸部１０１に固定した状態を示す図で、図４（ａ）はノブ５が孔３０１の中央の位置にある状態を示す断面図、図４（ｂ）は図４（ａ）のＡ−Ａ断面図である。
【００３３】
図４（ａ）に示すように、ノブ５が孔３０１に対して中央の位置にある状態からノブ５を左方向にスライドさせると、凸部１０１に固定されたノブ５は、凸部１０１が孔３０１の左端に当接する位置から孔３０１の右端に当接する位置までの間を自在にスライドする。
【００３４】
合成部４５は、クロスフェーダ部４のスライド部１０が中央の位置にある場合、第１の入力端子６及び第２の入力端子７に入力されるオーディオ信号を略同じ比率で合成し、合成したオーディオ信号を出力端子２５に出力する。合成部４５は、クロスフェーダ部４のスライド部１０が中央の位置にある状態から左方向にスライドすることによって第１の入力端子６に入力されたオーディオ信号の比率を第２の入力端子７に入力されたオーディオ信号の比率よりも増加させて出力する。また、合成部４５は、スライド部１０が中央の位置にある状態から右方向にスライドすることによって第２の入力端子７に入力されたオーディオ信号の比率を第１の入力端子６に入力されたオーディオ信号の比率よりも増加させて合成する。そして、合成部４５は、クロスフェーダ部４の凸部１０１が孔３０１の左端に当接した位置にある場合は、第１の入力端子６に入力されるオーディオ信号のみを出力端子２５に出力し、また、凸部１０１が孔３０１の右端に当接した位置にある場合は、第２の入力端子７に入力されるオーディオ信号のみを出力端子２５に出力する。
【００３５】
図５（ａ）は、図４（ｂ）に示す状態からノブ５を取り外してドライバー３０の先端を雄ネジ１６に嵌合させて回転させた状態を示す断面図である。
図５（ｂ）は、図５（ａ）の状態からノブ５を凸部１０１に再び固定した後、ノブ５を左方向及び右方向にスライドさせた状態を示す断面図である。
【００３６】
図５（ａ）に示すように、凸部１０１からノブ５を取り外した後、先端に凸部を備えたドライバー３０を雄ネジ１６のネジ頭部に嵌合させた状態とし、このドライバー３０を上方から見て時計回り方向に回転させる。ドライバー３０を雄ネジ１６のネジ頭部に嵌合させた状態でドライバー３０を上方から見て時計回り方向に回転させることによって、雄ネジ１６は、雌ネジ部１０６にねじ込まれる。雄ネジ１６は、雌ネジ部１０６にねじ込まれることによって下方に移動し、下端部分が弾性体１５に当接した状態で弾性体１５を下方に押圧する。弾性体１５は、雄ネジ１６によって下方に押圧されることにより、下方に弾性変形し、第１のシャフト８に当接した状態で第１のシャフト８を下方に押圧した状態となる。
【００３７】
この状態から再度ノブ５を凸部１０１に挿入し、ノブ５を左方向及び右方向にスライドさせると、図５（ｂ）に示すように、弾性体１５が第１のシャフト８を下方に押圧したままの状態で、スライド部１０が第１のシャフト８及び第２のシャフト９の軸方向に左方向及び右方向にスライドする。このとき、弾性体１５が第１のシャフト８を下方に押圧したままの状態となることから、弾性体１５と第１のシャフト８との間には摩擦力が生じる。このため、ノブ５を左方向及び右方向に一定の距離だけスライドさせるのに必要な力は、図３（ａ）に示すような弾性体１５が第１のシャフト８を押圧していない状態と比較して大きな力が必要となる。
【００３８】
図５（ｂ）の状態において、再度凸部１０１からノブ５を取り外し、先端に凸部を備えたドライバー３０を雄ネジ１６のネジ頭部に嵌合させた状態として更にドライバー３０を上方から見て時計回り方向に回転させると、雄ネジ１６が雌ネジ部１０６に更にねじ込まれて雄ネジ１６が更に下方に移動し、弾性体１５が更に下方に弾性変形する。このため、弾性体１５は、第１のシャフト８を下方に更に押圧した状態となり、ノブ５を左方向及び右方向にスライドさせたときの弾性体１５と第１のシャフト８との間に生じる摩擦力が更に大きくなる。また、反対に、ドライバー３０の先端を雄ネジ１６のネジ頭部に嵌合させた状態でドライバー３０を上方から見て反時計回り方向に回転させると、雌ネジ部１０６への雄ネジ１６のねじ込みが緩められて雄ネジ１６が上方に移動することにより、弾性体１５が弾性力によって元に戻り、弾性体１５が第１のシャフト８を押圧する力が減少するため、ノブ５を左方向及び右方向にスライドさせたときの弾性体１５と第１のシャフト８との間に生じる摩擦力が小さくなる。
【００３９】
このように、ドライバー３０の先端を雄ネジ１６のネジ頭部に嵌合させて雄ネジ１６を下方にねじ込み、また、反対に雄ネジ１６のねじ込みを緩めることによって、ノブ５を左方向及び右方向にスライドさせたときの弾性体１５と第１のシャフト８との間に生じる摩擦力が変化する。このことにより、ドライバー３０による雄ネジ１６のねじ込みの量を変化させることにより、ノブ５を左方向及び右方向に一定の距離だけスライドさせるのに必要な力を変化させることができる。
【００４０】
以上のように、本実施例のミキシング装置１は、図４（ａ）及び図４（ｂ）に示すように、クロスフェーダ部４をパネル３に固定した状態のままで、図５（ａ）に示すように、ノブ５を凸部１０１から取り外し、ドライバー３０の先端を雄ネジ１６のネジ頭部に嵌合させて雄ネジ１６を下方にねじ込み、また、反対に雄ネジ１６のねじ込みを緩めることによって、ノブ５を左方向及び右方向に一定の距離だけスライドさせるのに必要な力を変化させることができる。
【００４１】
このことにより、本実施例のミキシング装置１は、例えば、ＤＪが普段使用しているミキシング装置におけるクロスフェーダ部のノブを意図した距離だけスライドさせるのに必要な指先の力と、ダンスホールに備え付けられているミキシング装置におけるクロスフェーダ部のノブを意図した距離だけスライドさせるのに必要な指先の力とが異なる場合は、ダンスホールに備え付けられているミキシング装置のノブ５を凸部１０１から取り外した後、ドライバー３０を用いて雄ネジ１６のねじ込み量を変化させ、普段使用しているミキシング装置におけるクロスフェーダ部のノブを意図した距離だけスライドさせるのに必要な指先の力となるように調節することにより、ノブ５を左方向及び右方向に一定の距離だけスライドさせるのに必要な力を簡単に普段使用しているミキシング装置と同様にすることができる。このため、ＤＪがダンスホールに備え付けられているミキシング装置を目視しないでノブのスライド位置を意図した的確な位置に素早く合わせようとする場合、ＤＪが普段使用しているミキシング装置によって予め覚えておいた指の感覚でノブに力を加えることにより、ノブを意図した距離だけスライドさせ、クロスフェーダ部のノブの位置を意図した的確な位置に合わせることができる。
【００４２】
また、本実施例のミキシング装置１は、図４（ａ）及び図４（ｂ）に示すように、ノブ５を凸部１０１に取り付けた状態の場合、雄ネジ１６がノブ５の下方となる位置に配設されていることから、ミキシング装置１の表面に雄ネジ１６が露呈しないので、ミキシング装置１の表面に雄ネジ１６のネジ頭部が露呈してミキシング装置１の外観が損なわれてしまうことを防止することができる。
【図面の簡単な説明】
【００４３】
【図１】本発明の一実施例であるミキシング装置の構成を示す斜視図。
【図２】本実施例のミキシング装置１を示すブロック図。
【図３】本実施例のミキシング装置１のクロスフェーダ部４の構成を示す断面図で、図３（ｂ）は図３（ａ）のＡ−Ａ断面図。
【図４】クロスフェーダ部４をパネル３に固定した後に、ノブ５を凸部１０１に固定した状態を示す図で、図４（ａ）はノブ５が孔３０１の中央の位置にある状態を示す断面図、図４（ｂ）は図４（ａ）のＡ−Ａ断面図。
【図５】図５（ａ）は、図４（ｂ）に示す状態からノブ５を取り外してドライバー３０の先端を雄ネジ１６に嵌合させて回転させた状態を示す断面図。図５（ｂ）は、図５（ａ）の状態からノブ５を凸部１０１に再び固定した後、ノブ５を左方向及び右方向にスライドさせた状態を示す断面図。
【図６】従来のミキシング装置の一例の構成を示す斜視図。
【図７】従来のミキシング装置１００を示すブロック図。
【図８】従来のミキシング装置１００のクロスフェーダ部４００の構成を示す断面図で、図８（ａ）はノブ５が孔３０１の中央の位置にある状態を示す断面図、図８（ｂ）は図８（ａ）の状態からノブ５を左方向及び右方向にスライドさせた状態を示す断面図。
【符号の説明】
【００４４】
１  ミキシング装置、２  筐体、２０１  孔、
３  パネル、３０１  孔、３０２  孔、３０３  孔、
４  クロスフェーダ部、４０  ケース部、４５  合成部、
４０１  孔、４０２  孔、４０３  孔、
４０６  雌ネジ部、４０７  雌ネジ部、
５  ノブ、５０１  孔、
６  第１の入力端子、７  第２の入力端子、
８  第１のシャフト、
９  第２のシャフト、
１０  スライド部、１０１  凸部、１０２  軸受け、１０３  孔、
１０４  凸部、１０５  曲げ部、１０６  雌ネジ部、
１１  Ｅリング、１２  Ｅリング、
１５  弾性体、１６  雄ネジ、
２５  出力端子、３０  ドライバー、３１  雄ネジ、
１００  ミキシング装置、２００  筐体、４００  クロスフェーダ部、４１  ケース部、
８０  シャフト
【図１】
2008187567.tif 000003
【図２】
2008187567.tif 000004
【図３】
2008187567.tif 000005
【図４】
2008187567.tif 000006
【図５】
2008187567.tif 000007
【図６】
2008187567.tif 000008
【図７】
2008187567.tif 000009
【図８】
2008187567.tif 000010